(57)【要約】      （修正有） 【課題】ベルト構造の剛性を高め、同時にコンベアベルトの構造を簡略化し、製造コストを低減させ、取り付けに便利で、摩耗が発生することなく、取り付けが容易であるとともに容易に取り外して保守を行なうことのできるコンベアベルトを具えるベルト駆動布帛染色機のベルト構造を提供する。【解決手段】平行して設ける少なくとも一対のコンベアベルトチェーン１２と、該コンベアベルトチェーン１２をガイドし、駆動するスプロケットとを含み、該一対のコンベアベルトチェーン１２には、複数の搬送板２Ａ，２Ｂを跨設する。【選択図】図２
0003213730.tif 000002
【実用新案登録請求の範囲】
【請求項１】
平行して設ける少なくとも一対のコンベアベルトチェーンと、該コンベアベルトチェーンをガイドし、駆動するスプロケットとを含み、
該一対のコンベアベルトチェーンには、複数の搬送板を跨設することを特徴とするコンベアベルトを具えるベルト駆動布帛染色機のベルト構造の改良。
【請求項２】
前記搬送板の長さを長くして該一対のコンベアベルトチェーンの数コマ上に跨設することを特徴とする請求項１に記載のコンベアベルトを具えるベルト駆動布帛染色機のベルト構造の改良。
【考案の詳細な説明】
【技術分野】
【０００１】
この考案は、ベルトコンベアに連動させて駆動する布帛染色機に関し、特に、コンベアベルトのチェーンに設けた複数の剛性の搬送板によって構成されるベルトコンベアに関する。
【背景技術】
【０００２】
コンベアベルトを具えるベルトコンベア駆動の染色機は、コンベアベルトが布帛を搬送する場合、布帛の重量によってコンベアベルトが湾曲し、又は変形し、波打った状態にある。よって、周知の技術では、コンベアベルトの底部に支持手段を設ける、該支持手段は、例えば、摩耗性の材質によってなる固定式の支持部材か、又は複数のローラを配列した支持手段か、同期して支持するチェーンであって、これらによってコンベアベルトの安定した作動が得られる。但し、摩耗性の材質は、それ自身の摩耗によって不定期に交換する必要がある。コンベアベルト自身も亦摩耗によって交換することになる。複数のローラは配列した支持手段はコンベアベルトの摩耗を招くことがない。但し、ローラを設ける密度の違いによって、おそらくコンベアベルトに程度の異なる起伏が発生して波打った状態で作動する。同期支持チェーンはコストが高すぎる。
【０００３】
また、染色機の装置本体内部に支持構造を設けた場合、構造が複雑になり製造コストが高くなる。而も、染色機の装置本体内部に不純物が容易に残留し、除去が難しい。別途、コンベアベルトは支持構造の接触面との間で循環した摩擦が発生して摩耗する。また、装置本体に支持構造を増加することで、装置本体内部の空間の制限によって、コンベアベルトを定期的に保守する場合、交換が難しくなる。
【考案の概要】
【考案が解決しようとする課題】
【０００４】
この考案は、コンベアベルトを具えるベルト駆動布帛染色機のベルト構造の剛性を高める搬送板を具え、同時にコンベアベルトの構造を簡略化し、製造コストを低減させ、取り付けに便利で、摩耗が発生することなく、取り付けが容易であるとともに容易に取り外して保守を行なうことのできるコンベアベルトの改良構造を提供することを課題とする。
【課題を解決するための手段】
【０００５】
平行して設ける少なくとも一対のコンベアベルトチェーンと、該コンベアベルトチェーンをガイドし、駆動するスプロケットとを含み、  該一対のコンベアベルトチェーンには、複数の搬送板を跨設する。係る構造によれば、剛性を具える複数の該搬送板が布帛を支持し、搬送する場合にコンベアベルトの湾曲と摩耗を防ぐことができる。而も、構造が簡易で取り付けと、取り外して保守する場合に作業が容易になる。また不純物が残留することなく、洗浄が容易になる。
【０００６】
この考案は、技術手法の一つとして、布帛染色機のコンベアベルトが平行して設ける少なくとも一対のコンベアベルトチェーンと、該コンベアベルトチェーンをガイドし、駆動するスプロケットとを含み、該一対のコンベアベルトチェーンには、複数の搬送板を跨設するとともに、該搬送板の第１端を該コンベアベルトチェーン上に固定し、相対する第２端を自由端とし、かつコンベアベルトチェーンに対して相対的に可動にする技術手法を有する。係る構造によって、該コンベアベルトチェーンが該スプロケットによって駆動される場合、干渉を受けることなくスプロケットの回転にしたがって回転する。
【０００７】
この考案の好ましい実施の形態として、該搬送板の第１端を該コンベアベルトチェーン上に固定し、第２端を自由端として隣り合う他の搬送板の第１端にかかるように設ける。このように搬送板をコンベアベルトチェーンに跨設するとともに、重畳させる構造によって、該搬送板の間に隙間が発生することがなく、布帛が隙間に引っ掛かることを防ぐ。
【０００８】
この考案の他の実施の形態によれば、該搬送板を該コンベアベルトチェーンに跨設するとともに、搬送板の第１端を該コンベアベルトチェーン上に固定し、該コンベアベルトチェーン上で可動にし、かつ隣り合う他の搬送板の第１端に接する。
【０００９】
この考案の別の実施の形態によれば、該搬送板は長さを長くして該コンベアベルトチェーンに跨設する。即ち、該コンベアベルトチェーンの数コマが１枚の搬送板を共有する（図５参照）。よって、搬送板の枚数が減少する。
【００１０】
また、該搬送板上に積置した布帛に含まれる染料液を順調に落として染色機本体内の底部に至らせるために、該搬送板を貫通する後部複数穿設して染料液が通過するようにしてもよい。
【００１１】
また、この考案において布帛を搬送する搬送板は、化学染料液による腐食を受けることなく、使用寿命を長くするために、好ましくは耐腐食性と剛性を具える材質で該搬送板を形成する。
【００１２】
また、布帛と搬送板との間において、過度の摩擦によって布帛が損傷することを防ぐために、この考案においては該搬送板の表面に研磨処理を施すか、又は該搬送板の表面に化学耐腐食塗料を塗布する。
【図面の簡単な説明】
【００１３】
【図１】この考案によるコンベアベルトの第１の実施の形態の構造を示した説明図である。
【図２】図１に開示するＡの部分の拡大した構造説明図である。
【図３】この考案によるコンベアベルトの第２の実施の形態の構造を示した説明図である。
【図４】図３に開示するＢの部分の拡大した構造説明図である。
【図５】この考案によるコンベアベルトの第３の実施の形態の構造を示した説明図である。
【考案を実施するための形態】
【実施例１】
【００１４】
図１、２に開示するように、この考案の提供する、コンベアベルトを具えるベルト駆動布帛染色機のベルトの構造において、コンベアベルト１は、平行して設ける少なくとも一対のコンベアベルトチェーン１２と、コンベアベルトチェーン１２をガイドし、駆動するスプロケット１１とを含む。コンベアベルト１は、布帛染色機の装置本体内部に設けられて布帛（図示しない）の搬送に用いる。言い換えれば、布帛はコンベアベルト１上に載置される。コンベアベルト１はスプロケット１１の駆動によって作動し、移動時に布帛を循環して移動させる。
【００１５】
平行して設ける一対のコンベアベルトチェーン１２には、複数の搬送板を跨設する。この明細書の説明において、複数の該搬送板は、互い違いに設ける複数の第１搬送板２Ａと第２搬送板２Ｂである。これら第１搬送板２Ａと第２搬送板２Ｂは、相対する両端に位置する端縁部を具え、同一方向の１端を第１端２１とし、相対する他端を第２端２２とする。第１端２１はコンベアベルトチェーン１２上に固定し、第２端２２は自由端とし、コンベアベルトチェーン１２に対して相対的に可動であって、かつ第１搬送板２Ａの第２端が隣り合う第２搬送板２Ｂの第１端上にかかり、第２搬送板２Ｂの第２端が隣り合う第１搬送板２Ａの第１端上にかかり、以下はこれを類推し、コンベアベルトチェーン１２全体の外周すべてに搬送板を設ける。隣り合う搬送版は、局部的に重畳する。よって、隣り合う搬送板の間には隙間が発生しない。係る構成によって、布帛がコンベアベルト上で搬送される過程において、隙間に引っ掛かり損傷を受けることが起きない。
【００１６】
コンベアベルト１が搬送する布帛は、大量の染料液を吸収している。布帛に吸収された染料液をコンベアベルトから順調に排出して布と水とを分離するために、この考案ではそれぞれの第１搬送板２Ａと第２搬送板２Ｂとに、これら搬送板を貫通する複数の孔部（図示しない）を穿設する。よって、布帛に含まれる染料液は、重力の作用によって落下し、該孔部を通過して装置本体内の底部に至る。
【００１７】
また、布帛の染色に用いる化学染料液は、ある程度の腐食性を具える。したがって、コンベアベルトの使用寿命を延ばすために、この考案では該搬送板に耐腐食性を有する剛性材料を採用するか、又は剛性材料上に耐腐食層を塗布して形成する。
【００１８】
また、搬送板に載置した布帛が、これら搬送板の間で過度の摩擦によって損傷を受けることのないように、この考案において、好ましくは該搬送板の表面に研磨処理を施し、滑らかな表面するか、もしくは表面塗装を施して摩擦の抵抗力を減少させるか、又は耐腐食性を増強する。
【実施例２】
【００１９】
図３、４に、この考案の第２の実施の形態による、コンベアベルトを具えるベルト駆動布帛染色機のベルトの構造を開示する。図面の開示によれば、コンベアベルト１は、平行して設ける少なくとも一対のコンベアベルトチェーン１２と、コンベアベルトチェーン１２をガイドし、駆動するスプロケット１１とを含む。コンベアベルト１は、布帛染色機の装置本体内部に設けられて布帛（図示しない）の搬送に用いる。言い換えれば、布帛はコンベアベルト１上に載置される。コンベアベルト１はスプロケット１１の駆動によって作動し、移動時に布帛を循環して移動させる。
【００２０】
平行して設ける一対のコンベアベルトチェーン１２には、複数の搬送板を跨設する。この明細書の説明において、複数の該搬送板は、互い違いに設ける複数の第１搬送板２Ａと第２搬送板２Ｂである。これら第１搬送板２Ａと第２搬送板２Ｂは、相対する両端に位置する端縁部を具え、同一方向の１端を第１端２１とし、相対する他端を第２端２２とする。第１端２１はコンベアベルトチェーン１２上に固定し、第２端２２は自由端とし、コンベアベルトチェーン１２上に位置し、コンベアベルトチェーン１２全体の外周にすべてに搬送板を設ける。
【実施例３】
【００２１】
図５に、この考案の第３の実施の形態による、コンベアベルトを具えるベルト駆動布帛染色機のベルトの構造を開示する。図面の開示によれば、コンベアベルト１の構造は、実施例３において搬送板２Ａの長さを長くし、コンベアベルトチェーン１２に跨設する。即ち、コンベアベルトチェーン１２は数コマが第１搬送板２Ａと第２搬送板２Ｂとを共有する。よって、第１搬送板２Ａと第２搬送板２Ｂとの使用枚数が減少する。
【００２２】
コンベアベルト１が搬送する布帛は、大量の染料液を吸収している。布帛に吸収された染料液をコンベアベルトから順調に排出して布と水とを分離するために、この考案の実施例２ではそれぞれの第１搬送板２Ａと第２搬送板２Ｂとに、これら搬送板を貫通する複数の孔部（図示しない）を穿設する。よって、布帛に含まれる染料液は、重力の作用によって落下し、該孔部を通過して装置本体内の底部に至る。
【符号の説明】
【００２３】
１        コンベアベルト
１１      スプロケット
１２      コンベアベルトチェーン
２Ａ      第１搬送板
２Ｂ      第２搬送板
２１      第１端
２２      第２端
【図１】
0003213730.tif 000003
【図２】
0003213730.tif 000004
【図３】
0003213730.tif 000005
【図４】
0003213730.tif 000006
【図５】
0003213730.tif 000007
【手続補正書】
【提出日】平成29年9月20日(2017.9.20)
【手続補正１】
【補正対象書類名】実用新案登録請求の範囲
【補正対象項目名】全文
【補正方法】変更
【補正の内容】
【実用新案登録請求の範囲】
【請求項１】
平行して設ける少なくとも一対のコンベアベルトチェーンと、該コンベアベルトチェーンをガイドし、駆動するスプロケットとを含み、
該一対のコンベアベルトチェーンには、複数の搬送板を跨設することを特徴とするコンベアベルトを具えるベルト駆動布帛染色機のベルト構造。
【請求項２】
前記搬送板の長さを長くして該一対のコンベアベルトチェーンの数コマ上に跨設することを特徴とする請求項１に記載のコンベアベルトを具えるベルト駆動布帛染色機のベルト構造。